(57)【要約】【課題】光学素子の容易かつ高精度なアライメント調整により高品質な画像を表示可能なプロジェクタを製造するためのプロジェクタの製造方法を提供すること。【解決手段】画像信号に応じて変調された光を被照射面へ入射させることにより画像を表示するプロジェクタの製造方法であって、調整用光源４１からの調整光を、調整用光源４１から被照射面までの光路中の光学素子へ供給する調整光供給工程と、光学素子へ供給される調整光、及び光学素子に付されたアライメントマークを用いて、光路中の光学素子のうち少なくとも１つのアライメントを調整するアライメント調整工程と、を含む。【選択図】図５
2007219132.tif 000002
【特許請求の範囲】
【請求項１】
画像信号に応じて変調された光を被照射面へ入射させることにより画像を表示するプロ
ジェクタの製造方法であって、
調整用光源からの調整光を、前記調整用光源から前記被照射面までの光路中の光学素子
へ供給する調整光供給工程と、
前記光学素子へ供給される前記調整光、及び前記光学素子に付されたアライメントマー
クを用いて、前記光路中の前記光学素子のうち少なくとも１つのアライメントを調整する
アライメント調整工程と、を含むことを特徴とするプロジェクタの製造方法。
【請求項２】
前記調整光供給工程において、少なくとも２つの前記調整光を前記光学素子へ供給する
ことを特徴とする請求項１に記載のプロジェクタの製造方法。
【請求項３】
前記調整用光源からの光を前記少なくとも２つの調整光に分岐させる分岐工程を含むこ
とを特徴とする請求項２に記載のプロジェクタの製造方法。
【請求項４】
前記少なくとも２つの調整光同士の間隔を調節する調整光間隔調節工程を含むことを特
徴とする請求項２又は３に記載のプロジェクタの製造方法。
【請求項５】
前記プロジェクタは、映像用光源からの光を前記画像信号に応じて変調する空間光変調
装置を有し、
前記アライメント調整工程において、前記映像用光源から前記空間光変調装置までの光
路中の光学素子のうち少なくとも１つのアライメントを調整することを特徴とする請求項
１〜４のいずれか一項に記載のプロジェクタの製造方法。
【請求項６】
前記プロジェクタは、前記画像信号に応じて変調された光を投写する投写レンズを有し
、
前記アライメント調整工程において、前記投写レンズから前記被照射面までの光路中の
光学素子のうち少なくとも１つのアライメントを調整することを特徴とする請求項１〜５
のいずれか一項に記載のプロジェクタの製造方法。
【請求項７】
前記プロジェクタは、前記投写レンズからの光を透過させるスクリーンを有し、
前記アライメント調整工程において、前記投写レンズから前記スクリーンまでの光路中
の光学素子のうち少なくとも１つのアライメントを調整することを特徴とする請求項６に
記載のプロジェクタの製造方法。
【請求項８】
前記プロジェクタは、前記投写レンズからの光を前記プロジェクタ外部の被照射面へ入
射させる反射ミラーを有し、
前記アライメント調整工程において、前記投写レンズから前記反射ミラーまでの光路中
の光学素子のうち少なくとも１つのアライメントを調整することを特徴とする請求項６に
記載のプロジェクタの製造方法。
【請求項９】
前記プロジェクタは、映像用光源からの光を用いて画像を表示し、
前記調整光供給工程において、前記映像用光源を設ける位置、又は前記映像用光源を設
ける位置の近傍に配置された前記調整用光源を用いて前記調整光を供給することを特徴と
する請求項１〜８のいずれか一項に記載のプロジェクタの製造方法。
【請求項１０】
前記プロジェクタは、映像用光源からの光を用いて画像を表示し、
前記アライメント調整工程において、前記光学素子のうち前記映像用光源からの光が入
射する領域以外の領域に形成された前記アライメントマークを用いて前記光学素子のアラ
イメントを調整することを特徴とする請求項１〜９のいずれか一項に記載のプロジェクタ
の製造方法。
【請求項１１】
前記プロジェクタは、映像用光源からの光を用いて画像を表示し、
前記アライメント調整工程において、前記映像用光源からの光を透過させる光学素子に
ついて、互いに異なる光透過率を有する領域を組み合わせて形成されたアライメントマー
クを用いて前記光学素子のアライメントを調整することを特徴とする請求項１〜１０のい
ずれか一項に記載のプロジェクタの製造方法。
【請求項１２】
前記プロジェクタは、映像用光源からの光を用いて画像を表示し、
前記アライメント調整工程において、前記映像用光源からの光を反射させる光学素子に
ついて、互いに異なる反射率を有する領域を組み合わせて形成されたアライメントマーク
を用いて前記光学素子のアライメントを調整することを特徴とする請求項１〜１０のいず
れか一項に記載のプロジェクタの製造方法。
【請求項１３】
前記アライメント調整工程において、前記調整光の入射により蛍光を発する蛍光部を有
するアライメントマークを用いて前記光学素子のアライメントを調整することを特徴とす
る請求項１〜１０のいずれか一項に記載のプロジェクタの製造方法。
【発明の詳細な説明】
【技術分野】
【０００１】
本発明は、プロジェクタの製造方法、特に、薄型なリアプロジェクタを製造する製造方
法の技術に関する。
【背景技術】
【０００２】
リアプロジェクタは、画像信号に応じて変調された光をスクリーンにて透過させること
により画像を表示する。従来、リアプロジェクタにおいて、空間光変調装置である液晶パ
ネルを変位させる調整機構を用いて、フォーカスの調整、及び各液晶パネルからの映像光
の画素を一致させる調整を行う技術が提案されている（例えば、特許文献１参照。）。
【０００３】
【特許文献１】特開平１１−１０２０１５号公報
【発明の開示】
【発明が解決しようとする課題】
【０００４】
しかしながら、リアプロジェクタは、空間光変調装置に対するフォーカス調整等を行っ
たとしても、照明光学系や結像光学系に用いられる各光学素子のアライメント調整の精度
が低ければ、高品質な画像を得ることは困難である。また、近年、リアプロジェクタの薄
型化を図るために、スクリーンに対して斜めに映像光を入射させる構成が提案されている
。薄型なリアプロジェクタは、光学素子のアライメントのずれが光学性能へ及ぼす影響が
大きいと考えられる。特に、ミラーの中心位置からずれた位置を軸とする非球面ミラーに
ついては、特にアライメント調整が難しくなる。このように、従来の技術では、光学素子
の容易かつ高精度なアライメント調整を行うことが困難であるという問題を生じる。本発
明は、上述の問題に鑑みてなされたものであり、光学素子の容易かつ高精度なアライメン
ト調整により高品質な画像を表示可能なプロジェクタを製造するためのプロジェクタの製
造方法を提供することを目的とする。
【課題を解決するための手段】
【０００５】
上述した課題を解決し、目的を達成するために、本発明によれば、画像信号に応じて変
調された光を被照射面へ入射させることにより画像を表示するプロジェクタの製造方法で
あって、調整用光源からの調整光を、調整用光源から被照射面までの光路中の光学素子へ
供給する調整光供給工程と、光学素子へ供給される調整光、及び光学素子に付されたアラ
イメントマークを用いて、光路中の光学素子のうち少なくとも１つのアライメントを調整
するアライメント調整工程と、を含むことを特徴とするプロジェクタの製造方法を提供す
ることができる。
【０００６】
アライメント調整工程では、光学素子の位置又は傾きの少なくとも一方を調節すること
で、光学素子のアライメントを調整することができる。アライメントマークの位置へ調整
光を入射させるように調整光を目視しながら光学素子の位置又は傾きを調節することによ
り、光学素子の容易かつ高精度なアライメント調整を行うことを可能とし、光学系の調整
効率を飛躍的に向上できる。光学素子の高精度なアライメント調整により、光利用効率の
低下、画像の歪み、色ずれ等を低減し、高品質な画像を表示することが可能となる。また
、一の光学素子を透過又は反射した調整光を用いて他の光学素子のアライメント調整を行
うことが可能であるから、複数の光学素子のアライメント調整を容易に行うことができる
。これにより、光学素子の容易かつ高精度なアライメント調整により高品質な画像を表示
可能なプロジェクタを製造することができる。
【０００７】
また、本発明の好ましい態様としては、調整光供給工程において、少なくとも２つの調
整光を光学素子へ供給することが望ましい。複数の調整光を用いることにより、光学素子
の複数箇所に付されたアライメントマークを用いたアライメント調整を行うことが可能と
なる。複数箇所に付されたアライメントマークと複数の調整光を用いることにより、光学
素子の位置及び傾きを容易に調節することが可能となる。
【０００８】
また、本発明の好ましい態様としては、調整用光源からの光を少なくとも２つの調整光
に分岐させる分岐工程を含むことが望ましい。調整用光源からの光を複数の調整光に分岐
させることで、調整光の数より少ない数の調整用光源を用いることが可能となる。これに
より、調整光ごとに調整用光源を用意する場合よりも簡易な構成を用いて、光学素子のア
ライメント調整を行うことができる。
【０００９】
また、本発明の好ましい態様としては、少なくとも２つの調整光同士の間隔を調節する
調整光間隔調節工程を含むことが望ましい。これにより、光学素子のアライメント調整を
精度良く行うことができる。
【００１０】
また、本発明の好ましい態様としては、プロジェクタは、映像用光源からの光を画像信
号に応じて変調する空間光変調装置を有し、アライメント調整工程において、映像用光源
から空間光変調装置までの光路中の光学素子のうち少なくとも１つのアライメントを調整
することが望ましい。ここで、映像用光源から空間光変調装置までの光路中の光学素子に
は、空間光変調装置を含むものとする。これにより、プロジェクタの照明光学系に用いら
れる各光学素子、及び空間光変調装置のアライメント調整ができる。
【００１１】
また、本発明の好ましい態様としては、プロジェクタは、画像信号に応じて変調された
光を投写する投写レンズを有し、アライメント調整工程において、投写レンズから被照射
面までの光路中の光学素子のうち少なくとも１つのアライメントを調整することが望まし
い。これにより、プロジェクタの結像光学系に用いられる各光学素子のアライメント調整
ができる。
【００１２】
また、本発明の好ましい態様としては、プロジェクタは、投写レンズからの光を透過さ
せるスクリーンを有し、アライメント調整工程において、投写レンズからスクリーンまで
の光路中の光学素子のうち少なくとも１つのアライメントを調整することが望ましい。こ
こで、投写レンズからスクリーンまでの光路中の光学素子には、スクリーンを含むものと
する。これにより、リアプロジェクタの結像光学系に用いられる各光学素子、及びスクリ
ーンのアライメント調整ができる。
【００１３】
また、本発明の好ましい態様としては、プロジェクタは、投写レンズからの光をプロジ
ェクタ外部の被照射面へ入射させる反射ミラーを有し、アライメント調整工程において、
投写レンズから反射ミラーまでの光路中の光学素子のうち少なくとも１つのアライメント
を調整することが望ましい。ここで、投写レンズから反射ミラーまでの光路中の光学素子
には、反射ミラーを含むものとする。これにより、フロント投写型プロジェクタの結像光
学系に用いられる各光学素子のアライメント調整ができる。
【００１４】
また、本発明の好ましい態様としては、プロジェクタは、映像用光源からの光を用いて
画像を表示し、調整光供給工程において、映像用光源を設ける位置、又は映像用光源を設
ける位置の近傍に配置された調整用光源を用いて調整光を供給することが望ましい。これ
により、映像用光源からの光と同様に調整光を供給し、容易に各光学素子のアライメント
調整ができる。
【００１５】
また、本発明の好ましい態様としては、プロジェクタは、映像用光源からの光を用いて
画像を表示し、アライメント調整工程において、光学素子のうち映像用光源からの光が入
射する領域以外の領域に形成されたアライメントマークを用いて光学素子のアライメント
を調整することが望ましい。映像用光源からの光が入射する領域以外の領域にアライメン
トマークを形成することで、アライメント調整工程により位置決めされた光学素子をその
まま画像表示のために用いることが可能となる。
【００１６】
また、本発明の好ましい態様としては、プロジェクタは、映像用光源からの光を用いて
画像を表示し、アライメント調整工程において、映像用光源からの光を透過させる光学素
子について、互いに異なる光透過率を有する領域を組み合わせて形成されたアライメント
マークを用いて光学素子のアライメントを調整することが望ましい。互いに異なる光透過
率を有する領域を組み合わせてアライメントマークを形成することで、目視による調整光
の確認によって、光学素子のアライメント調整を正確かつ容易に行うことが可能となる。
【００１７】
また、本発明の好ましい態様としては、プロジェクタは、映像用光源からの光を用いて
画像を表示し、アライメント調整工程において、映像用光源からの光を反射させる光学素
子について、互いに異なる反射率を有する領域を組み合わせて形成されたアライメントマ
ークを用いて光学素子のアライメントを調整することが望ましい。互いに異なる反射率を
有する領域を組み合わせてアライメントマークを形成することで、目視により確認される
調整光の光量に応じて光学素子のアライメント調整を正確かつ容易に行うことが可能とな
る。
【００１８】
また、本発明の好ましい態様としては、アライメント調整工程において、調整光の入射
により蛍光を発する蛍光部を有するアライメントマークを用いて光学素子のアライメント
を調整することが望ましい。蛍光部を用いることで、蛍光の発生の有無の確認によって調
整光の位置を容易に確認することができる。これにより、光学素子のアライメント調整を
正確かつ容易に行うことが可能となる。
【発明を実施するための最良の形態】
【００１９】
以下に図面を参照して、本発明の実施例を詳細に説明する。
【実施例１】
【００２０】
図１は、本発明の実施例１に係るプロジェクタの製造方法により製造されるリアプロジ
ェクタ１０の概略構成を示す。図１に示す構成は、リアプロジェクタ１０をＸ方向の中心
にて切断したＹＺ断面構成である。リアプロジェクタ１０は、スクリーン１６の一方の面
である被照射面に光を投写し、スクリーン１６の他方の面から出射する光を観察すること
で画像を鑑賞するものである。光学エンジン部１１は、画像信号に応じて変調された光を
供給する。
【００２１】
図２は、光学エンジン部１１の構成を説明するものである。映像用光源である超高圧水
銀ランプ２０は、第１色光である赤色光（以下、「Ｒ光」という。）、第２色光である緑
色光（以下、「Ｇ光」という。）、及び第３色光である青色光（以下、「Ｂ光」という。
）を含む光を供給する。第１インテグレータレンズ２１及び第２インテグレータレンズ２
２は、アレイ状に配列された複数のレンズ素子を有する。第１インテグレータレンズ２１
は、超高圧水銀ランプ２０からの光束を複数に分割する。第１インテグレータレンズ２１
の各レンズ素子は、超高圧水銀ランプ２０からの光束を第２インテグレータレンズ２２の
レンズ素子近傍にて集光させる。第２インテグレータレンズ２２のレンズ素子は、第１イ
ンテグレータレンズ２１のレンズ素子の像を空間光変調装置上に形成する。
【００２２】
２つのインテグレータレンズ２１、２２を経た光は、偏光変換素子２３にて特定の振動
方向を有する偏光光、例えばｓ偏光光に変換される。重畳レンズ２４は、第１インテグレ
ータレンズ２１の各レンズ素子の像を空間光変調装置上で重畳させる。第１インテグレー
タレンズ２１、第２インテグレータレンズ２２及び重畳レンズ２４は、超高圧水銀ランプ
２０からの光の強度分布を空間光変調装置上にて均一化させる。重畳レンズ２４からの光
は、第１ダイクロイックミラー２５に入射する。第１ダイクロイックミラー２５は、Ｒ光
を反射し、Ｇ光及びＢ光を透過させる。第１ダイクロイックミラー２５で反射したＲ光は
、第１ダイクロイックミラー２５、反射ミラー２６でそれぞれ光路を略９０度折り曲げら
れ、Ｒ光用フィールドレンズ２９Ｒへ入射する。Ｒ光用フィールドレンズ２９Ｒは、反射
ミラー２６からのＲ光を平行化し、Ｒ光用空間光変調装置３０Ｒへ入射させる。
【００２３】
Ｒ光用空間光変調装置３０Ｒは、Ｒ光を画像信号に応じて変調する透過型の液晶表示装
置である。Ｒ光用空間光変調装置３０Ｒに設けられた不図示の液晶パネルは、２つの透明
基板の間に、画像表示のための液晶層を封入している。液晶パネルに入射したｓ偏光光は
、画像信号に応じた変調によりｐ偏光光に変換される。Ｒ光用空間光変調装置３０Ｒは、
変調によりｐ偏光光に変換されたＲ光を出射する。Ｒ光用空間光変調装置３０Ｒで変調さ
れたＲ光は、色合成光学系であるクロスダイクロイックプリズム３１へ入射する。
【００２４】
第１ダイクロイックミラー２５を透過したＧ光及びＢ光は、第２ダイクロイックミラー
２７へ入射する。第２ダイクロイックミラー２７は、Ｇ光を反射し、Ｂ光を透過させる。
第２ダイクロイックミラー２７で反射されたＧ光は、第２ダイクロイックミラー２７で光
路を略９０度折り曲げられ、Ｇ光用フィールドレンズ２９Ｇへ入射する。Ｇ光用フィール
ドレンズ２９Ｇは、第２ダイクロイックミラー２７からのＧ光を平行化し、Ｇ光用空間光
変調装置３０Ｇへ入射させる。Ｇ光用空間光変調装置３０Ｇは、Ｇ光を画像信号に応じて
変調する透過型の液晶表示装置である。Ｇ光用空間光変調装置３０Ｇに入射したｓ偏光光
は、液晶パネルでの変調によりｐ偏光光に変換される。Ｇ光用空間光変調装置３０Ｇは、
変調によりｐ偏光光に変換されたＧ光を出射する。Ｇ光用空間光変調装置３０Ｇで変調さ
れたＧ光は、クロスダイクロイックプリズム３１へ入射する。
【００２５】
第２ダイクロイックミラー２７を透過したＢ光は、２枚のリレーレンズ２８及び２枚の
反射ミラー２６を経由して、Ｂ光用フィールドレンズ２９Ｂへ入射する。Ｂ光の光路は、
Ｒ光の光路及びＧ光の光路よりも長い。空間光変調装置における照明倍率を他の色光と等
しくするために、Ｂ光の光路には、リレーレンズ２８を用いるリレー光学系が採用されて
いる。Ｂ光用フィールドレンズ２９Ｂは、反射ミラー２６からのＢ光を平行化し、Ｂ光用
空間光変調装置３０Ｂへ入射させる。Ｂ光用空間光変調装置３０Ｂは、Ｂ光を画像信号に
応じて変調する透過型の液晶表示装置である。Ｂ光用空間光変調装置３０Ｂに入射したｓ
偏光光は、液晶パネルでの変調によりｐ偏光光に変換される。Ｂ光用空間光変調装置３０
Ｂは、変調によりｐ偏光光に変換されたＢ光を出射する。Ｂ光用空間光変調装置３０Ｂで
変調されたＢ光は、クロスダイクロイックプリズム３１へ入射する。なお、各空間光変調
装置３０Ｒ、３０Ｇ、３０Ｂは、変調によりｓ偏光光をｐ偏光光に変換するほか、ｐ偏光
光をｓ偏光光に変換することとしても良い。
【００２６】
クロスダイクロイックプリズム３１は、互いに略直交するように配置された２つのダイ
クロイック膜３１ａ、３１ｂを有する。第１ダイクロイック膜３１ａは、Ｒ光を反射し、
Ｇ光及びＢ光を透過させる。第２ダイクロイック膜３１ｂは、Ｂ光を反射し、Ｒ光及びＧ
光を透過させる。クロスダイクロイックプリズム３１は、それぞれ異なる方向から入射し
たＲ光、Ｇ光及びＢ光を合成し、投写レンズ１２の方向へ出射させる。投写レンズ１２は
、クロスダイクロイックプリズム３１で合成された光を第１ミラー１３（図１参照）の方
向へ投写する。
【００２７】
図１に戻って、第２ミラー１４は、筐体１７の背面近傍に設けられている。第１ミラー
１３は、投写レンズ１２及び第２ミラー１４に対向する位置に設けられている。第１ミラ
ー１３は、光学エンジン部１１からの光を第２ミラー１４の方向へ反射する。第１ミラー
１３は、略平坦な平面形状を有する。第１ミラー１３は、平行平板上に反射膜を形成する
ことにより構成できる。反射膜としては、高反射性の部材の層、例えばアルミニウム等の
金属部材の層や誘電体多層膜等を用いることができる。また、反射膜の上には、透明部材
を有する保護膜を形成することとしても良い。
【００２８】
第２ミラー１４は、非球面形状の曲面を有する。非球面形状の曲面は、中心軸に対して
略回転対称な形状の曲面、例えば放物面や楕円面等、及び非回転対称な形状の自由曲面の
いずれであっても良い。第２ミラー１４は、反射により第１ミラー１３からの光を主にＸ
方向について広角化させる他、第１ミラー１３からの光を筐体１７の天井面の方向へ折り
曲げる。第２ミラー１４は、非球面形状を有する基材上に反射膜を形成することにより構
成できる。投写レンズ１２のみならず第２ミラー１４にて光を広角化することで、投写レ
ンズ１２のみにより光を広角化する場合より投写レンズ１２を小型にすることができる。
【００２９】
第３ミラー１５は、筐体１７の天井面に近い位置に設けられている。第３ミラー１５は
、第２ミラー１４からの光をスクリーン１６の方向へ反射する。第３ミラー１５は、第１
ミラー１３と同様に、略平坦な平面形状を有する。なお、第３ミラー１５は、筐体１７の
天井面に略平行に配置する他、天井面に対して傾けて配置しても良い。スクリーン１６は
、投写レンズ１２、及び各ミラー１３、１４、１５を経た光を透過させる透過型スクリー
ンである。
【００３０】
図３は、スクリーン１６の要部断面構成を示す。スクリーン１６は、画像信号に応じた
光が入射する側に設けられたフレネルレンズ３５を有する。フレネルレンズ３５は、第３
ミラー１５からの光を角度変換する。フレネルレンズ３５は、凸レンズの凸面を切り出し
た形状のプリズム部３４を平面上に並べて構成されている。複数のプリズム部３４は、略
同心円状に配置されている。プリズム部３４は、同心円の中心を通るＹＺ断面において、
第１面３２及び第２面３３により形成される略三角形状を有する。
【００３１】
第３ミラー１５からの光は、第１面３２からプリズム部３４へ入射する。プリズム部３
４へ入射した光は、第２面３３で全反射した後、観察者の方向であるＺ方向へ進行する。
フレネルレンズ３５は、このようにして第３ミラー１５から斜めに入射する光を観察者の
方向へ角度変換する。スクリーン１６は、フレネルレンズ３５以外の他の構成、例えば、
フレネルレンズ３５からの光を拡散させるレンチキュラーレンズアレイやマイクロレンズ
アレイ、拡散材を分散させた拡散板等を設けることとしても良い。
【００３２】
図１に戻って、投写レンズ１２から第１ミラー１３へ入射する光と、第２ミラー１４か
ら第３ミラー１５へ入射する光は、略上向きへ進行する。第３ミラー１５からスクリーン
１６へ入射する光は、略下向きに進行する。このように、筐体１７内において光をスクリ
ーン１６面に沿う方向へ進行させることにより、リアプロジェクタ１０を薄型にすること
ができる。なお、光学エンジン部１１は、超高圧水銀ランプ２０を用いるものに限られず
、例えば、発光ダイオード素子（ＬＥＤ）等の固体発光素子を用いるものとしても良い。
【００３３】
図４は、本実施例に係るプロジェクタの製造方法のうち光学エンジン部１１の各光学素
子を設置する手順を説明するフローチャートである。本実施例は、超高圧水銀ランプ２０
（図２参照）に代えて配置された調整用光源ユニットからの調整光を用いて、調整用光源
から空間光変調装置までの各光学素子、及びクロスダイクロイックプリズムのアライメン
ト調整を行う。まず、ステップＳ１において、光学エンジン部１１の各光学素子、及び調
整用光源ユニットを仮設置する。光学素子の仮設置とは、位置及び傾きが調整可能な状態
で光学素子を配置することを示す。各光学素子は、例えば、所定のホルダに嵌め込むこと
で仮設置を行う。調整用光源ユニットの仮設置とは、調整用光源ユニットを取り外し可能
な状態で配置することを示す。調整用光源ユニットは、例えば、超高圧水銀ランプ２０用
のホルダに嵌め込むことで仮設置を行う。
【００３４】
次に、調整光供給工程であるステップＳ２において、調整用光源から空間光変調装置ま
での光路中の各光学素子、及びクロスダイクロイックプリズムへ調整光を供給する。次に
、アライメント調整工程であるステップＳ３において、調整用光源から空間光変調装置ま
での各光学素子、空間光変調装置、及びクロスダイクロイックプリズムのアライメントを
調整する。ステップＳ４では、ステップＳ３にてアライメントが調整された状態で各光学
素子を固定する。最後に、ステップＳ５において調整用光源ユニットの取り外し、ステッ
プＳ６において映像用光源である超高圧水銀ランプ２０を設置することにより、光学エン
ジン部１１の各光学素子の設置が完了する。
【００３５】
図５は、光学エンジン部１１のうち、超高圧水銀ランプ２０からのＢ成分の光の光路中
に配置された各光学素子へ調整光を供給する状態を示す。Ｒ成分の光の光路中の各光学素
子、及びＧ成分の光の光路中の各光学素子への調整光の供給は、Ｂ成分の光の光路中の各
光学素子の場合と同様であるから、ここではＢ成分の光が進行する光路中の光学素子を代
表例として説明する。
【００３６】
調整用光源ユニット４０は、映像用光源である超高圧水銀ランプ２０を設ける位置に配
置されている。調整用光源ユニット４０は、調整用光源４１、光分岐部４２、及び角度変
換部４３が設けられている。調整用光源ユニット４０は、超高圧水銀ランプ２０のホルダ
（不図示）に嵌め込み可能に構成されている。調整用光源ユニット４０は、超高圧水銀ラ
ンプ２０のホルダに嵌め込むことにより仮設置される。
【００３７】
調整用光源４１としては、例えば、６３３ｎｍのレーザ光を供給する半導体レーザを用
いることができる。高い指向性を特徴とするレーザ光を調整光として用いることにより、
調整用光源４１から遠い位置の光学素子であっても、正確にアライメントの調整を行うこ
とが可能となる。また、調整光として、可視光である６３３ｎｍのレーザ光を用いること
で、調整光を目視しながら光学素子のアライメントを行うことができる。調整光は可視光
である３８０ｎｍ〜６６０ｎｍの波長を持つレーザ光であれば良く、光学素子ごとに安定
して調整光を認識可能とするためには、４２０ｎｍ〜６５０ｎｍの波長を持つレーザ光を
用いることが望ましい。調整光は、レーザの安全基準に関するＪＩＳ規格（ＪＩＳ  Ｃ６
８０２）に定められるレーザクラス２レベル以下の強度であることが望ましい。さらに好
ましくは、調整光は、レーザクラス１以下の強度であることが望ましい。
【００３８】
光分岐部４２は、調整用光源４１からの光を分岐させることにより略同じ強度を持つ２
つの調整光を出射する分光プリズムである。調整用光源ユニット４０は、光分岐部４２を
用いた分岐工程により、１つの調整用光源４１を用いて２つの調整光を供給する。光分岐
部４２としては、分光プリズムの他、回折により光を分岐させる回折格子や、反射及び透
過により光を分岐させるハーフミラー等を用いることができる。角度変換部４３は、光軸
に略平行となるように光分岐部４２からの２つの調整光をそれぞれ角度変換する。角度変
換部４３としては、例えばレンズを用いることができる。調整用光源ユニット４０は、光
軸に略平行かつ所定の間隔で２つの調整光を供給するように構成されている。調整用光源
及び他の光学要素を調整用光源ユニット４０として一体化することにより、高い精度で平
行度及び間隔が制御された調整光を供給することができる。なお、調整用光源ユニット４
０は、映像用光源である超高圧水銀ランプ２０を設ける位置に配置する場合に限られず、
超高圧水銀ランプ２０を設ける位置の近傍に配置することとしても良い。
【００３９】
調整用光源ユニット４０から出射された２つの調整光は、まず第１インテグレータレン
ズ２１へ入射する。２つの調整光のうちの一方は、第１インテグレータレンズ２１の入射
面のうち、入射側から見て左上外縁部近傍へ入射する。他方の調整光は、第１インテグレ
ータレンズ２１の入射面のうち、入射側から見て右下外縁部近傍へ入射する。２つの調整
光は、第１インテグレータレンズ２１の入射面の矩形形状の対角線方向に並列した状態で
第１インテグレータレンズ２１を透過する。第１インテグレータレンズ２１を透過した２
つの調整光は、超高圧水銀ランプ２０からのＢ成分の光と同様に、第２インテグレータレ
ンズ２２からＢ光用空間光変調装置３０Ｂまでの各光学素子を経てクロスダイクロイック
プリズム３１へ入射する。
【００４０】
図６は、第１インテグレータレンズ２１の入射側平面構成を示す。第１インテグレータ
レンズ２１の入射面のうち超高圧水銀ランプ２０からの光が入射する領域ＡＲ以外の領域
には、２つのアライメントマーク５０が形成されている。アライメントマーク５０は、互
いに略直交する２つの線分からなる十字形状をなしている。２つのアライメントマーク５
０のうちの一方は、第１インテグレータレンズ２１の左上外縁部近傍に形成されている。
他方のアライメントマーク５０は、第１インテグレータレンズ２１の右下外縁部近傍に形
成されている。２つのアライメントマーク５０の間隔は、調整用光源ユニット４０から供
給される２つの調整光の間隔と略一致する。
【００４１】
第１インテグレータレンズ２１は、図７に示すホルダ４７により、調整用光源ユニット
４０の側に入射面を向けて仮設置されている。ホルダ４７は、第１インテグレータレンズ
２１を枠部４８に嵌め込むことで、第１インテグレータレンズ２１を左右両側、及び下側
にて支持する。第１インテグレータレンズ２１は、外縁部を枠部４８に嵌め込むことで、
超高圧水銀ランプ２０からの光が入射する領域ＡＲ及びアライメントマーク５０がホルダ
４７により覆い隠されない状態で支持されている。ホルダ４７は、第１インテグレータレ
ンズ２１が枠部４８に嵌め込まれた状態のまま第１インテグレータレンズ２１の位置及び
傾きを微調整できるように形成されている。
【００４２】
図６に戻って、第１インテグレータレンズ２１のアライメント調整は、アライメントマ
ーク５０の十字の交点部分を調整光が通過するように第１インテグレータレンズ２１の位
置及び傾きを調節することにより行う。第１インテグレータレンズ２１の矩形形状の対角
線方向に配列させた２つのアライメントマーク５０を用いることで、第１インテグレータ
レンズ２１の位置ずれ、及び傾きずれを正確に把握することができる。アライメントマー
クは、調整光を通過させる目標位置が認識できれば良く、十字形状に限られない。例えば
、図８に示す十字の中心に施した円を目標位置とするアライメントマーク５１や、図９に
示す二重円の内側の円を目標位置とするアライメントマーク５２を用いても良い。
【００４３】
調整光を透過させる各光学素子について、アライメントマーク５０は、第１インテグレ
ータレンズ２１の入射面へ直接描画や切り欠き、刻印等を施す他、レジスト等によるパタ
ーニングの利用等により形成することができる。また、金型を用いた型転写により成形さ
れる光学素子については、予め金型にパターンを施すことによりアライメントマーク５０
を形成することとしても良い。アライメントマーク５０は、いずれの光学素子についても
、光学素子の製造工程中において容易に形成することができる。
【００４４】
図１０は、第１インテグレータレンズ２１等の光学素子のアライメント調整を行うアラ
イメント調整治具６０の概略構成を示す。アライメント調整治具６０は、ポンプ６４から
のエアー圧力を用いて光学素子のアライメント調整を行う。アーム６２の２つの枝部の先
端にそれぞれ形成された吸着部６１は、吸着部６１自体の吸着力、又はポンプ６４による
吸引力を利用して光学素子を保持する。調整機構部６３は、エアー圧力によりアーム６２
を駆動させる。
【００４５】
調整機構部６３は、アーム６２の駆動により、図１１に示すｘ方向移動（ｘ−ｓｈｉｆ
ｔ）、ｙ方向移動（ｙ−ｓｈｉｆｔ）、ｚ方向移動（ｚ−ｓｈｉｆｔ）による光学素子の
位置の微調整、ｙ軸回りの回転（ｘｚ−ｔｉｌｔ）、ｘ軸回りの回転（ｙｚ−ｔｉｌｔ）
による光学素子の傾きの微調整を行う。調整機構部６３の５つのステージを用いることで
、三次元（ｘｙｚ）空間における光学素子の位置及び傾きを決定することができる。調整
光を目視しながらアーム６２を駆動させることにより、光学素子の容易かつ高精度なアラ
イメント調整を行うことが可能である。なお、アライメント調整治具６０は、エアー圧力
を用いる構成に限らず、他の駆動力、例えばモータ等による駆動力を用いる構成としても
良い。
【００４６】
アライメント調整治具６０を用いて第１インテグレータレンズ２１の位置及び傾きを決
定した後、ホルダ４７（図７参照）内における第１インテグレータレンズ２１の固定を行
う。第１インテグレータレンズ２１等の光学素子の固定には、光硬化性樹脂等の硬化剤を
用いることができる。光学素子を高い精度で位置決めするために、光学素子の固定には、
硬化による収縮ができるだけ少ない硬化剤を用いることが望ましい。このようにして、第
１インテグレータレンズ２１のアライメント調整が完了する。アライメントマーク５０の
位置へ調整光を入射させるように調整光を目視しながら光学素子の位置又は傾きを調節す
ることにより、光学素子の容易かつ高精度なアライメント調整を行うことができる。
【００４７】
図５に戻って、第１インテグレータレンズ２１を透過した２つの調整光は、第２インテ
グレータレンズ２２からクロスダイクロイックプリズム３１までの各光学素子のアライメ
ント調整に用いることができる。第２インテグレータレンズ２２からクロスダイクロイッ
クプリズム３１までの各光学素子のうち反射ミラー２６以外の光学素子は、第１インテグ
レータレンズ２１と同様に、２つの調整光を透過させる。調整光を透過させる光学素子に
ついては、第１インテグレータレンズ２１と同様にしてアライメント調整を行うことがで
きる。なお、第１ダイクロイックミラー２５及び第２ダイクロイックミラー２７は、超高
圧水銀ランプ２０からの光が入射する領域の反射特性に関わらず、調整光が入射する部分
において調整光を透過可能な構成とする必要がある。また、Ｂ光用空間光変調装置３０Ｂ
は、液晶パネル４５、液晶パネル４５の入射側の第１偏光板４４、液晶パネル４５の出射
側の第２偏光板４６をそれぞれ別にアライメント調整することが可能である。
【００４８】
反射ミラー２６は、２つの調整光を反射する。反射ミラー２６には、第１インテグレー
タレンズ２１の場合と同様に、図６、図８及び図９を用いて説明したものと同様のアライ
メントマークを用いることができる。反射ミラー２６のアライメント調整は、アライメン
トマークの目標位置へ調整光が入射するように反射ミラー２６の位置及び傾きを調節する
ことにより行う。反射ミラー２６等、調整光を反射させる光学素子について、アライメン
トマークは、例えば、反射面へ直接描画や切り欠き、刻印等を施す他、反射膜の成膜時に
パターンを施すことで形成できる。このようにして、調整用光源ユニット４０からの調整
光を用いて、第１インテグレータレンズ２１からクロスダイクロイックプリズム３１まで
の光路中の各光学素子のアライメントを調整することができる。
【００４９】
各光学素子のアライメント調整を終了した後、調整用光源ユニット４０に代えて、光学
エンジン部１１に超高圧水銀ランプ２０を取り付ける。なお、アライメント調整は、調整
用光源ユニット４０に近い光学素子から行う場合に限られず、正確にアライメント調整を
行うことが可能であればいずれの順序で行うこととしても良い。但し、反射ミラー２６よ
り調整用光源ユニット４０から遠い光学素子をアライメント調整する場合は、調整光を正
確な方向へ進行させるために反射ミラー２６を優先してアライメント調整する。
【００５０】
各光学素子について容易かつ高精度なアライメント調整を行うことで、リアプロジェク
タ１０の光学系の調整効率を飛躍的に向上できる。光学素子の高精度なアライメント調整
を経てリアプロジェクタ１０を製造することにより、光利用効率の低下、画像の歪み、色
ずれ等を低減し、高品質な画像を表示することが可能となる。また、一の光学素子を透過
又は反射した調整光を用いて他の光学素子のアライメント調整を行うことが可能であるか
ら、複数の光学素子のアライメント調整を容易に行うことができる。これにより、光学素
子の容易かつ高精度なアライメント調整により高品質な画像を表示可能なリアプロジェク
タ１０を得られるという効果を奏する。
【００５１】
なお、光学素子のアライメント調整には２つの調整光を用いる場合に限らず、３つ以上
の調整光を用いることとしても良い。３つ以上の箇所に付されたアライメントマーク５０
と３つ以上の調整光とを用いることにより、光学素子の位置及び傾きをさらに容易に調節
することが可能となる。３つ以上の調整光は、光分岐部４２により調整用光源４１からの
光を３つ以上に分岐することで供給することができる。また、１つの調整用光源４１から
の光を光分岐部４２で複数に分岐する構成とする他、光分岐部４２を用いず複数の調整用
光源４１により複数の調整光を供給することとしても良い。複数の調整用光源４１に対し
て光分岐部４２を配置することとし、複数の調整用光源４１からの複数の光をさらに分岐
させることとしても良い。
【００５２】
各光学素子へ入射させる調整光の位置、及びアライメントマーク５０の位置は、光学素
子の位置及び傾きの調節が可能であれば良く、上記のものに限られない。但し、各光学素
子に対して、アライメントマーク５０は、超高圧水銀ランプ２０からの光が入射する領域
ＡＲにできるだけ近い位置に設けることが望ましい。これにより、アライメントマーク５
０を設けることによる光学素子の大型化を低減することができる。さらに、本実施例は、
リアプロジェクタ１０の第１インテグレータレンズ２１からクロスダイクロイックプリズ
ム３１までの全ての光学素子のアライメント調整を行う場合に限られない。映像用光源で
ある超高圧水銀ランプ２０からクロスダイクロイックプリズム３１までの光路中の光学素
子のうち少なくとも１つのアライメント調整を行うこととすれば良い。
【００５３】
各光学素子のアライメント調整は、図１０に示すアライメント調整治具６０を用いて行
う場合に限られない。ホルダの位置及び傾きを微調整する調整機構を用いて光学素子のア
ライメント調整を行うこととしても良い。例えば、図１２に示す２つの基板７１、７６及
び板バネ部７４を用いた機構により、ホルダ７０の位置及び傾きを微調整することができ
る。光学素子は、硬化性樹脂等により予めホルダ７０に固定される。ホルダ７０は、第１
基板７１上に固定されている。
【００５４】
第１基板７１の両端部には、それぞれ貫通穴７２が形成されている。一方の貫通穴７２
は、ｘ軸に略平行な第１基板７１の中心線Ｎよりプラスｙ側に設けられている。他方の貫
通穴７２は、中心線Ｎよりマイナスｙ側に設けられている。板バネ部７４の両端部には、
切り欠き部７５が設けられている。第２基板７６の両端部には、長穴部７８が設けられて
いる。長穴部７８は、ｘ方向へ細長い形状を有する。長穴部７８から見て第２基板７６の
ｘ方向中心部に近い側には、突起部７７が設けられている。板バネ部７４は、切り欠き部
７５内に突起部７７が差し込まれた状態で第２基板７６上に載置される。
【００５５】
ネジ７３は、第１基板７１の貫通穴７２、板バネ部７４の切り欠き部７５を介して第２
基板７６の長穴部７８にねじ込まれる。第１基板７１は、ネジ７３を用いることにより、
板バネ部７４を介して第２基板７６上に固定される。ネジ７３を締めるに従い、板バネ部
７４は第１基板７１と第２基板７６とにより強く押さえ込まれる。また、ネジ７３を緩め
るに従い、板バネ部７４は第１基板７１をプラスｚ方向へ押し上げる。このように、第１
基板７１と第２基板７６との間に板バネ部７４を設けることにより、ネジ７３の締め具合
に応じてｚ方向における光学素子の位置を調節することができる。また、２つのネジ７３
の締め具合の差に応じて、ｙ軸回りの回転による光学素子の傾きの調節が可能である。
【００５６】
第１基板７１の中心線Ｎのプラスｙ側に一方のネジ７３、マイナスｙ側に他方のネジ７
３を設けることにより、２つのネジ７３の締め具合の差に応じて、ｘ軸回りの回転による
光学素子の傾きの調整も可能となる。さらに、ｘ方向へ細長い形状の長穴部７８を設ける
ことで、ｘ方向に関して、第２基板７６に対する第１基板７１の位置の調整を行うことが
できる。この他、ｙ方向に関して第２基板７６の位置を調節することにより、三次元（ｘ
ｙｚ）空間における光学素子の位置及び傾きを決定することができる。ｙ方向に関しては
、ｘ方向の場合と同様に、ｙ方向へ細長い形状の長穴部とネジ（いずれも不図示）とを組
み合わせて用いることで、第２基板７６の位置を調節することができる。図１２を用いて
説明した調整機構の他、従来用いられる他の調整機構を用いて光学素子のアライメント調
整を行うこととしても良い。
【００５７】
図１３〜図１９は、アライメントマークの変形例を説明するものである。図１３に示す
アライメントマーク８１は、調整光を透過させる円形の透過部８３と、透過部８３の周囲
に形成された遮光部８２とを有する。透過部８３が設けられた円形領域が調整光を通過さ
せる目標位置となる。調整光が遮光部８２で遮られず透過部８３を通過することにより、
光学素子が正確にアライメント調整されたことを確認することができる。
【００５８】
図１４に示すアライメントマーク８４は、図１３に示すアライメントマーク８１とは逆
に、円形の遮光部８６と、遮光部８６の周囲に形成された透過部８５とを有する。調整光
が遮光部８６で遮られることにより、光学素子が正確にアライメント調整されたことを確
認することができる。かかるアライメントマーク８４を設けた光学素子より後の光学素子
には調整光を進行させることができないため、アライメントマーク８４は、最後段の光学
素子、例えば図５の構成ではクロスダイクロイックプリズム３１に用いることができる。
【００５９】
図１５に示すアライメントマーク８７は、互いに異なる光透過率を有する４つの領域を
組み合わせて形成されている。互いに異なる光透過率を有する領域は、円形状の透過部８
８を中心とする同心円状に設けられている。透過部８８が設けられた円形領域が調整光を
通過させる目標位置となる。透過部８８は、アライメントマーク８７中の他の領域と比較
して高い光透過率を有する。例えば、透過部８８の周囲に形成された３つの領域は、透過
部８８から離れるほど光透過率が低くなるように構成されている。
【００６０】
アライメントマーク８７は、調整光が透過部８８から遠い位置の領域に入射するほど調
整光を強く散乱させる。また、調整光が透過部８８を通過しているとき、調整光の散乱は
最小となる。このことから、調整光の散乱が弱くなるように光学素子の位置及び傾きを調
節することにより、光学素子を正確な位置及び傾きへと導くことができる。これにより、
目視による調整光の確認によって、光学素子のアライメント調整を正確かつ容易に行うこ
とが可能となる。互いに異なる光透過率を有する各領域は、例えば、互いに異なる量の散
乱材を分散させることで構成することができる。
【００６１】
図１６及び図１７に示すアライメントマークは、超高圧水銀ランプ２０からの光を反射
させる光学素子である反射ミラー２６（図２参照）に用いることができる。図１６に示す
アライメントマーク９０は、調整光を反射させる円形の反射部９１と、反射部９１の周囲
に形成された光吸収部８９とを有する。反射部９１が設けられた円形領域が調整光を入射
させる目標位置となる。調整光が光吸収部８９で吸収されず反射部９１で反射することに
より、光学素子が正確にアライメント調整されたことを確認することができる。
【００６２】
図１７に示すアライメントマーク９２は、互いに異なる反射率を有する４つの領域を組
み合わせて形成されている。互いに異なる反射率を有する領域は、円形状の高反射部９３
を中心とする同心円状に設けられている。高反射部９３が設けられた円形領域が調整光を
通過させる目標位置となる。高反射部９３は、アライメントマーク９２中の他の領域と比
較して光の反射率が最も高い。例えば、高反射部９３の周囲に形成された３つの領域は、
高反射部９３から離れるほど光の反射率が低くなるように構成されている。互いに異なる
反射率を有する各領域は、例えば、互いに異なる膜厚の反射膜を形成することで構成でき
る。反射膜を厚くすることで吸収される光を多くし、反射率を低くすることができる。
【００６３】
調整光が高反射部９３から遠い位置の領域に入射するほど、アライメントマーク９２か
らの反射光は弱くなる。また、調整光が高反射部９３へ入射しているとき、アライメント
マーク９２からの反射光は最も強くなる。このことから、反射する調整光が強くなるよう
に光学素子の位置及び傾きを調節することにより、光学素子を正確な位置及び傾きへと導
くことができる。これにより、目視による調整光の確認によって、光学素子のアライメン
ト調整を正確かつ容易に行うことが可能となる。
【００６４】
図１８に示すアライメントマーク９５は、超高圧水銀ランプ２０からの光を透過させる
光学素子に用いることができる。アライメントマーク９５は、調整光を透過させる円形の
透過部９４と、透過部９４の周囲に形成された蛍光部９６とを有する。透過部９４が設け
られた円形領域が調整光を通過させる目標位置となる。蛍光部９６は、調整光の入射によ
り蛍光を発する蛍光性物質を塗布することで形成できる。調整光が蛍光部９６へ入射する
とき、アライメントマーク９５は、蛍光を発生させる。また、調整光が透過部９４へ入射
するとき、蛍光の発生は無くなる。よって、蛍光の発生の有無の確認により、調整光の位
置を容易に確認することができる。これにより、光学素子のアライメント調整を正確かつ
容易に行うことが可能となる。なお、効果的に蛍光を発生させるために、蛍光部９６に用
いる蛍光性物質は、調整光の波長に応じて適宜選択することができる。
【００６５】
本実施例のリアプロジェクタ１０とは異なる構成のリアプロジェクタについても、本実
施例と同様にして、映像用光源から空間光変調装置までの光路中の光学素子のアライメン
ト調整を行うことができる。例えば、３つの透過型液晶表示装置を設けた、いわゆる３板
式のリアプロジェクタに限らず、１つの液晶表示装置を用いた単板式のリアプロジェクタ
、反射型液晶表示装置を用いたリアプロジェクタ、微小ミラーアレイデバイスを用いたリ
アプロジェクタ等に本発明を適用しても良い。例えば、微小ミラーアレイデバイスについ
ては、映像用光源からの光を変調させる領域外の領域に形成された微小ミラーを用いて、
アライメント調整を行うことができる。また、リアプロジェクタに限らず、いわゆるフロ
ント投写型のプロジェクタに本発明を適用しても良い。このように、種々のプロジェクタ
について、照明光学系に用いられる各光学素子、及び空間光変調装置のアライメント調整
ができる。
【実施例２】
【００６６】
図１９は、実施例２のプロジェクタの製造方法のうち光学素子を設置する手順を説明す
るフローチャートである。本実施例は、上記実施例１で説明したリアプロジェクタ１０の
第１ミラー１３からスクリーン１６（図１参照）までの光路中の各光学素子のアライメン
ト調整を行うことを特徴とする。本実施例では、リアプロジェクタ１０のうち光学エンジ
ン部１１に代えて調整用光源ユニットが配置される。本実施例において、ステップＳ１１
〜ステップＳ１５は、アライメント調整を行う光学素子が異なる他は上記実施例１で説明
した手順のステップＳ１〜ステップＳ５（図４参照）と同様である。本実施例では、最後
のステップＳ１６において、調整用光源ユニットに代えて光学エンジン部１１が設置され
る。
【００６７】
図２０は、リアプロジェクタ１０のうち光学エンジン部１１、投写レンズ１２、第１ミ
ラー１３、及び第２ミラー１４の配置例を示す。光学エンジン部１１、投写レンズ１２、
第１ミラー１３、及び第２ミラー１４は、１つの台座１０１に集約して配置することで、
互いの位置関係を正確に決定することができる。第１ミラー１３は、第１ミラー支持部１
０２を介して台座１０１に固定されている。第２ミラー１４は、第２ミラー支持部１０２
を介して台座に固定されている。
【００６８】
図２１は、調整用光源ユニット１１０から第１ミラー１３、第２ミラー１４、第３ミラ
ー１５、スクリーン１６へ調整光を供給する状態を示す。調整用光源ユニット１１０は、
光学エンジン部１１を設ける位置に配置されている。調整用光源ユニット１１０は、調整
用光源１１１を有する。調整用光源１１１としては、例えば、６３３ｎｍのレーザ光を供
給する半導体レーザを用いることができる。光分岐部１１２は、調整用光源１１１からの
光の一部を反射し、他の一部を透過させることで光を分岐させるハーフミラーである。光
分岐部１１２を透過した光、及び光分岐部１１２で反射した後ミラー１１３で反射した光
は、スリット１１４へ入射する。スリット１１４を通過した２つの光は、ミラー１１５で
折り曲げられ、投写レンズ１２の方向へ進行する。
【００６９】
調整用光源ユニット１１０は、このようにして、略平行かつ所定の間隔の２つの調整光
を供給する。調整用光源１１１及び他の光学要素を調整用光源ユニット１１０として一体
化することにより、高い精度で平行度及び間隔が制御された調整光を供給することができ
る。また、例えば、光学エンジン部１１のクロスダイクロイックプリズム３１（図２参照
）を固定するホルダにミラー１１５を取り付けることで、リアプロジェクタ１０に対する
調整用光源ユニット１１０の着脱を容易にすることができる。
【００７０】
投写レンズ１２から出射された２つの調整光は、第１ミラー１３へ入射する。２つの調
整光のうちの一方は、第１ミラー１３の入射側から見て、第１ミラー１３の左上外縁部近
傍へ入射する。他方の調整光は、第１ミラー１３の右下外縁部近傍へ入射する。破線で示
す矩形領域は、光学エンジン部１１からの画像信号に応じた光が入射する領域である。第
１ミラー１３のうち画像信号に応じた光が入射する領域以外の領域には、２つのアライメ
ントマークが形成されている。アライメントマークは、略直角をなすように接する２つの
線分により構成されている。２つのアライメントマークのうちの一方は、第１ミラー１３
の左上外縁部近傍に形成されている。他方のアライメントマークは、第１ミラー１３の右
下外縁部近傍に形成されている。
【００７１】
第１ミラー１３のアライメント調整は、アライメントマークの直角部分へ調整光が入射
するように第１ミラー１３の位置及び傾きを調節することにより行う。第２ミラー１４、
第３ミラー１５、スクリーン１６についても、第１ミラー１３の場合と同様にしてアライ
メント調整を行う。上記実施例１と同様に本実施例の場合も、光学素子の容易かつ高精度
なアライメント調整により高品質な画像を表示可能なリアプロジェクタ１０を得られると
いう効果を奏する。アライメントマークは、図２１に示すものの他、上記実施例１と同様
に他の形態のものを用いても良い。
【００７２】
図２２は、第１ミラー１３の位置及び傾きを微調整する調整機構について説明するもの
である。第１ミラー１３は、傾き調整部１２１を介して第１ミラー支持部１０２に固定さ
れている。長穴部１２３に設けられたネジ１２２を緩めると、固定部１２４を中心として
傾き調整部１２１を回転させることができる。これにより、Ｘ軸回りの回転による第１ミ
ラー１３の傾きの調整を容易に行うことができる。
【００７３】
第１ミラー支持部１０２は、ネジ１２５により台座１０１に固定されている。第１ミラ
ー支持部１０２のうちネジ１２５が貫通する部分には、Ｘ方向へ細長い形状の不図示の長
穴部が設けられている。ネジ１２５を緩めると、Ｘ方向に関して第１ミラー支持部１０２
を移動させることが可能となる。これにより、Ｘ方向に関して第１ミラー１３の位置を容
易に調節することができる。さらに、Ｚ方向へ細長い形状の長穴部とネジ（いずれも不図
示）を組み合わせた構成により、Ｚ方向に関して第１ミラー１３の位置を調節することも
できる。
【００７４】
図２０に示す第２ミラー１４も、第１ミラー１３の場合と同様に、第２ミラー支持部１
０３の位置の調節によりアライメント調整を行うことができる。また、第２ミラー１４は
、図２３の側面構成に示すように、第２ミラー１４に設けられたネジ１３３を用いて第２
ミラー１４のアライメント調整を行うこととしても良い。ネジ１３３は、バネ１３４の中
心を貫くように設けられている。第２ミラー１４に設けられたネジ１３３を緩めるに従い
、バネ１３４の付勢力により、第２ミラー１４は押し上げられる。また、ネジ１３３を締
めるに従いバネ１３４が強く押さえ込まれることにより、第２ミラー１４は押し下げられ
る。
【００７５】
図２３に示す構成において、第１支持部１３１に対する第２ミラー１４のＺ方向の位置
を調節する２つのネジ１３３、及び第１支持部１３１に対する第２ミラー１４のＹ方向の
位置を調節する２つのネジ１３３が設けられている。これら４つのネジ１３３を用いて、
Ｘ軸回りの回転による第２ミラー１４の傾きの調節を容易に行うことができる。また、第
２支持部１３２上に第１支持部１３１を固定する２つのネジ１３３を用いて、Ｙ方向にお
ける第２ミラー１４の位置を容易に調節することができる。
【００７６】
図２４は、図２３に示す構成の正面構成を示す。第１支持部１３１に第２ミラー１４を
固定する４つのネジ１３３を用いて、Ｙ軸回りの回転による第２ミラー１４の傾きの調節
を容易に行うことができる。また、第１支持部１３１のうちネジ１３３が貫通する部分に
は、Ｘ方向へ細長い形状の長穴部１３５が設けられている。ネジ１３３を緩めると、Ｘ方
向に関して第１支持部１３１を移動させることが可能となる。これにより、Ｘ方向に関し
て第２ミラー１４の位置を容易に調節することができる。本実施例によると、特にアライ
メント調整が難しいとされる非球面ミラーである第２ミラー１４についても、容易かつ高
精度なアライメント調整を行うことが可能である。なお、第２ミラー１４の傾きの調節を
行うための構成は、図２３及び図２４に示すものに限られない。三次元（ＸＹＺ）空間に
おける第２ミラー１４の傾きは、少なくとも３箇所にネジを設けることで調節することが
できる。
【００７７】
図２５は、第３ミラー１５の傾きを微調整する調整機構について説明するものである。
第３ミラー１５は、板状の第３ミラー支持部１４１上に固定されている。第３ミラー支持
部１４１には、第３ミラー支持部１４１をＸ軸回りに回転させる回転軸１４２が設けられ
ている。
【００７８】
図２６は、筐体１７に第３ミラー１５が取り付けられた状態を説明するものである。軸
受け部１４３は、筐体１７面にて回転軸１４２を支持する。軸受け部１４３に設けられた
ネジ１４４を緩めると、軸受け部１４３に対して回転軸１４２を回転させることが可能と
なる。また、ネジ１４４を締めることで、回転軸１４２を固定させることができる。かか
る調整機構を用いることにより、Ｘ軸回りの回転による第３ミラー１５の傾きの調節を容
易に行うことができる。
【００７９】
図２７は、本実施例にて用いられる２つの調整光同士の間隔を調節する調整光間隔調節
工程について説明するものである。リアプロジェクタ１０への調整用光源ユニット１１０
の設置に先立ち、調整用光源ユニット１１０のスリット１１４から所定距離Ｌ（例えば１
ｍ）の平面Ｓにおける２つの調整光同士の間隔を測定する。そして、平面Ｓにおける２つ
の調整光同士の間隔がスリット１１４における間隔と略一致するように調整用光源１１１
、光分岐部１１２、ミラー１１３、スリット１１４のうち少なくとも１つの調整を行う。
調整光の間隔の調整を予め行うことにより、光学素子のアライメント調整を精度良く行う
ことができる。なお、調整光の間隔の調節は、リアプロジェクタ１０への調整用光源ユニ
ット１１０の設置後に行うこととしても良い。また、上記実施例１においても、予め調整
光の間隔を調整することとしても良い。
【００８０】
本実施例は、光学エンジン部１１に代えて設置された調整用光源ユニット１１０を用い
る他、上記実施例１の調整用光源ユニット４０（図５参照）が設置された光学エンジン部
１１を用いることとしても良い。この場合、調整用光源ユニット４０からの調整光を用い
て、光学エンジン部１１の各光学素子、及び投写レンズ１２からスクリーン１６までの光
路中の各光学素子のアライメント調整を行うことができる。
【００８１】
本実施例は、リアプロジェクタ１０の第１ミラー１３及びスクリーン１６までの各光学
素子のアライメント調整を行う場合に限られない。投写レンズ１２からスクリーン１６ま
での光路中の光学素子のうち少なくとも１つのアライメント調整を行うこととすれば良い
。また、本実施例で説明するリアプロジェクタ１０とは異なる構成のリアプロジェクタに
ついても、本実施例と同様にして、投写レンズからスクリーンまでの光路中の光学素子の
アライメント調整を行うことができる。例えば、画像信号に応じて変調されたレーザ光を
走査させることにより画像を表示するレーザプロジェクタに本発明を適用しても良い。こ
のように、種々のプロジェクタについて、結像光学系に用いられる各光学素子のアライメ
ント調整ができる。
【００８２】
図２８は、本実施例の変形例に係るプロジェクタの製造方法により製造されたプロジェ
クタ１５０の概略構成を示す。プロジェクタ１５０は、プロジェクタ１５０外部のスクリ
ーン１５３へ画像信号に応じた光を投写し、スクリーン１５３で反射する光を観察するこ
とで画像を鑑賞する、いわゆるフロント投写型のプロジェクタである。上記のリアプロジ
ェクタ１０と同一の部分には同一の符号を付し、重複する説明は省略する。
【００８３】
本変形例のプロジェクタ１５０は、上記のリアプロジェクタ１０の第３ミラー１５（図
１参照）に代えて、第２ミラー１４からの光を筐体１５２外へ出射させる透過部１５１が
設けられている。透過部１５１は、硝子等の透明部材により構成されている。透過部１５
１は、筐体１５２の天井面に形成されている。第２ミラー１４で反射した光は、透過部１
５１を透過した後、スクリーン１５３へ入射する。第２ミラー１４は、投写レンズ１２か
らの光をプロジェクタ１５０外部のスクリーン１５３の被照射面へ入射させる反射ミラー
として機能する。
【００８４】
プロジェクタ１５０は、スクリーン１５３が設けられる壁面に密着させて配置される。
上記のリアプロジェクタ１０と同様に、本変形例のプロジェクタ１５０も薄型にすること
ができるため、スクリーン１５３下の少ないスペースを利用して画像を表示することがで
きる。また、スクリーン１５３から観察者の方向へ進行する光がプロジェクタ１５０によ
って遮られる事態を回避し、快適な映像観賞を行うことができる。本変形例では、第１ミ
ラー１３、第２ミラー１４の容易かつ高精度なアライメント調整により、高品質な画像を
表示可能なプロジェクタ１５０を得ることができる。
【００８５】
本変形例では、投写レンズ１２から反射ミラーである第２ミラー１４までの光学素子の
うちの少なくとも１つ、言い換えると第１ミラー１３、第２ミラー１４の少なくとも一方
のアライメント調整を行うこととすれば良い。本変形例で説明するプロジェクタ１５０と
は異なる構成のプロジェクタについても、本変形例と同様にして、投写レンズから反射ミ
ラーまでの光路中の光学素子のアライメント調整を行うことができる。
【産業上の利用可能性】
【００８６】
以上のように、本発明に係るプロジェクタの製造方法は、薄型なリアプロジェクタを製
造する場合に有用である。
【図面の簡単な説明】
【００８７】
【図１】リアプロジェクタの概略構成を示す図。
【図２】光学エンジン部の構成を説明する図。
【図３】スクリーンの要部断面構成を示す図。
【図４】本発明の実施例１に係るプロジェクタの製造方法について説明する図。
【図５】光学エンジン部の光路中の各光学素子へ調整光を供給する状態を示す図。
【図６】第１インテグレータレンズの入射側平面構成を示す図。
【図７】第１インテグレータレンズを設置するホルダの斜視構成を示す図。
【図８】アライメントマークの例を示す図。
【図９】アライメントマークの例を示す他の図。
【図１０】アライメント調整治具の概略構成を示す図。
【図１１】光学素子の位置及び傾きの調節について説明する図。
【図１２】光学素子をアライメント調整するための調整機構を説明する図。
【図１３】遮光部を有するアライメントマークを示す図。
【図１４】遮光部を有するアライメントマークを示す他の図。
【図１５】互いに異なる光透過率の領域を有するアライメントマークを示す図。
【図１６】光吸収部を有するアライメントマークを示す図。
【図１７】互いに異なる反射率の領域を有するアライメントマークを示す図。
【図１８】蛍光部を有するアライメントマークを示す図。
【図１９】本発明の実施例２に係るプロジェクタの製造方法について説明する図。
【図２０】リアプロジェクタの光学素子の配置例を示す図。
【図２１】リアプロジェクタの各光学素子へ調整光を供給する状態を示す図。
【図２２】第１ミラーの位置及び傾きを微調整する調整機構について説明する図。
【図２３】第２ミラーの位置及び傾きを微調整する調整機構について説明する図。
【図２４】図２３に示す構成の正面構成を示す図。
【図２５】第３ミラーの傾きを微調整する調整機構について説明する図。
【図２６】筐体に第３ミラーが取り付けられた状態を説明する図。
【図２７】調整光間隔調節工程について説明する図。
【図２８】実施例２の変形例について説明する図。
【符号の説明】
【００８８】
１０  リアプロジェクタ、１１  光学エンジン部、１２  投写レンズ、１３  第１ミラ
ー、１４  第２ミラー、１５  第３ミラー、１６  スクリーン、１７  筐体、２０  超高
圧水銀ランプ、２１  第１インテグレータレンズ、２２  第２インテグレータレンズ、２
３  偏光変換素子、２４  重畳レンズ、２５  第１ダイクロイックミラー、２６  反射ミ
ラー、２７  第２ダイクロイックミラー、２８  リレーレンズ、２９Ｒ  Ｒ光用フィール
ドレンズ、２９Ｇ  Ｇ光用フィールドレンズ、２９Ｂ  Ｂ光用フィールドレンズ、３０Ｒ
Ｒ光用空間光変調装置、３０Ｇ  Ｇ光用空間光変調装置、３０Ｂ  Ｂ光用空間光変調装
置、３１  クロスダイクロイックプリズム、３１ａ  第１ダイクロイック膜、３１ｂ  第
２ダイクロイック膜、３２  第１面、３３  第２面、３４  プリズム部、３５  フレネル
レンズ、４０  調整用光源ユニット、４１  調整用光源、４２  光分岐部、４３  角度変
換部、４４  第１偏光板、４５  液晶パネル、４６  第２偏光板、５０  アライメントマ
ーク、ＡＲ  領域、４７  ホルダ、４８  枠部、５１  アライメントマーク、５２  アラ
イメントマーク、６０  アライメント調整治具、６１  吸着部、６２  アーム、６３  調
整機構部、６４  ポンプ、７０  ホルダ、７１  第１基板、７２  貫通穴、７３  ネジ、
７４  板バネ部、７５  切り欠き部、７６  第２基板、７７  突起部、７８  長穴部、Ｎ
中心線、８１  アライメントマーク、８２  遮光部、８３  透過部、８４  アライメン
トマーク、８５  透過部、８６  遮光部、８７  アライメントマーク、８８  透過部、８
９  光吸収部、９０  アライメントマーク、９１  反射部、９２  アライメントマーク、
９３  高反射部、９４  透過部、９５  アライメントマーク、９６  蛍光部、１０１  台
座、１０２  第１ミラー支持部、１０３  第２ミラー支持部、１１０  調整用光源ユニッ
ト、１１１  調整用光源、１１２  光分岐部、１１３  ミラー、１１４  スリット、１１
５  ミラー、１２１  傾き調整部、１２２  ネジ、１２３  長穴部、１２４  固定部、１
２５  ネジ、１３１  第１支持部、１３２  第２支持部、１３３  ネジ、１３４  バネ、
１３５  長穴部、１４１  第３ミラー支持部、１４２  回転軸、１４３  軸受け部、１４
４  ネジ、１５０  プロジェクタ、１５１  透過部、１５２  筐体、１５３  スクリーン
【図１】
2007219132.tif 000003
【図２】
2007219132.tif 000004
【図３】
2007219132.tif 000005
【図４】
2007219132.tif 000006
【図５】
2007219132.tif 000007
【図６】
2007219132.tif 000008
【図７】
2007219132.tif 000009
【図８】
2007219132.tif 000010
【図９】
2007219132.tif 000011
【図１０】
2007219132.tif 000012
【図１１】
2007219132.tif 000013
【図１２】
2007219132.tif 000014
【図１３】
2007219132.tif 000015
【図１４】
2007219132.tif 000016
【図１５】
2007219132.tif 000017
【図１６】
2007219132.tif 000018
【図１７】
2007219132.tif 000019
【図１８】
2007219132.tif 000020
【図１９】
2007219132.tif 000021
【図２０】
2007219132.tif 000022
【図２１】
2007219132.tif 000023
【図２２】
2007219132.tif 000024
【図２３】
2007219132.tif 000025
【図２４】
2007219132.tif 000026
【図２５】
2007219132.tif 000027
【図２６】
2007219132.tif 000028
【図２７】
2007219132.tif 000029
【図２８】
2007219132.tif 000030